(57)【要約】【課題】複数のゲートドライバＩＣのスタートパルス供給ラインが並列接続方式場合であっても、正常に表示できる制御用ＩＣを備えた液晶表示装置を提供すること。【解決手段】液晶表示パネル１１の各走査電極を駆動する複数の行駆動手段１２ａ１〜１２ａ２と、前記行駆動手段１２ａ１〜１２ａ２に少なくともスタートパルスＦＬＭを供給する制御手段３０を備えた液晶表示装置において、前記複数の行駆動手段１２ａ１〜１２ａ２のスタートパルス入力端子は並列接続されており、前記制御手段３０は、各走査期間の最初からのデータイネーブル信号ＤＥのカウント値が１走査期間の有効データ数及び無効データ数の和ｎから予め定めた所定のカウント値ｘだけ少ないカウント値ｎ−ｘに達した時点にスタートパルスＦＬＭを発生する。【選択図】図３
2006184654.tif 000002
【特許請求の範囲】
【請求項１】
液晶表示パネルの各走査電極を駆動する複数の行駆動手段と、前記行駆動手段に少なくと
もスタートパルスＦＬＭを供給する制御手段を備えた液晶表示装置において、前記複数の
行駆動手段のスタートパルス入力端子は並列接続されており、前記制御手段は各走査期間
の最初からのデータイネーブル信号ＤＥのカウント値が１走査期間の有効データ数及び無
効データ数の和ｎから予め定めた所定のカウント値ｘだけ少ないカウント値ｎ−ｘに達し
た時点にスタートパルスＦＬＭを発生することを特徴とする液晶表示装置。
【請求項２】
液晶表示パネルの各走査電極を駆動する複数の行駆動手段と、前記行駆動手段に少なく
ともスタートパルスＦＬＭを供給する制御手段を備えた液晶表示装置において、前記制御
手段は全ての行駆動手段のスタートパルス供給ラインを直列接続したカスケード接続方式
及び、全ての行駆動手段のスタートパルス入力端子を並列接続した並列接続方式のそれぞ
れに対応したスタートパルス出力手段を備え、前記並列接続方式に対応した前記スタート
パルス出力手段は、各走査期間の最初からのデータイネーブル信号ＤＥのカウント値が１
走査期間の有効データ数及び無効データ数の和ｎから予め定めた所定のカウント値ｘだけ
少ないカウント値ｎ−ｘに達した時点にスタートパルスＦＬＭを発生するものであり、前
記制御手段に入力されたセレクト信号により前記カスケード接続方式及び並列接続方式の
いずれかのスタートパルスＦＬＭを選択して発生することを特徴とする液晶表示装置。
【請求項３】
前記カスケード接続方式が選択された場合には、前記制御手段は、各走査期間の最初のデ
ータイネーブル信号ＤＥが立ち上がった時点にスタートパルスＦＬＭを発生するように制
御することを特徴とする請求項２に記載の液晶表示装置。
【発明の詳細な説明】
【技術分野】
【０００１】
本発明は、複数のゲートドライバＩＣからなる行駆動手段が並列接続方式のスタートパ
ルス供給ラインを備えている場合においても正常に映像データを表示させることができる
制御手段を用いた液晶表示装置に関する。
【背景技術】
【０００２】
カーナビゲーション装置等の小型の液晶表示装置においては、液晶表示パネルのいわゆ
る額縁部に、行駆動手段としてのゲートドライバＩＣ及び列駆動手段としてのソースドラ
イバＩＣがＣＯＧ（Chip On Glass）方式により直接実装され、これらの各ドライバＩＣ
に接続された制御手段が搭載された制御回路基板により駆動されるようになっている。（
下記特許文献１及び２参照）
そして、行駆動手段及び列駆動手段は、液晶表示パネルの平面図である図５に示したと
おり、複数（たとえば２個）のゲートドライバＩＣ１２ａ１〜１２ａ２及び複数（たとえ
ば５個）のソースドライバＩＣ１２ｂ１〜１２ｂ５からなり、それぞれ液晶表示パネル１
１の有効表示領域Ｄｅの外側の辺１１ａ及び１１ｂに位置するようにＣＯＧ方式により直
接基板上に実装されている。
【０００３】
この場合、少なくとも複数のゲートドライバＩＣ１２ａ１〜１２ａ２への垂直クロック
信号ＣＰＶ、ゲートイネーブル信号ＯＥ、ゲートドライバＩＣ駆動用電源電圧はそれぞれ
のゲートドライバＩＣ１２ａ１〜１２ａ２に対して並列に供給されているが、ゲートスタ
ートパルスＦＬＭについては、ゲートドライバＩＣ１２ａ１から１２ａ２へゲートスター
トパルスＦＬＭを直列に供給する方式（以下、「カスケード接続方式」という。図６（ａ
）参照。）、及び、ゲートドライバＩＣ１２ａ１及び１２ａ２に同時に並列に供給する方
式（以下、「並列接続方式」という。図６（ｂ）参照。）の２種類が採用されている。
【０００４】
カスケード接続方式を採用した液晶表示装置においては、ゲートスタートパルス供給ラ
インを液晶表示パネルの有効表示領域Ｄｅの外側の辺に張り巡らさなくても良くなるため
に、配線が簡単になるという利点が存在するが、各ゲートドライバＩＣ間にゲートスター
トパルス供給のための接続配線を設ける必要上、各ゲートドライバＩＣを所定距離離す必
要があるので、ゲートドライバＩＣを設けるスペースが大きくなるという問題点が存在し
ている。これに対し、並列接続方式を採用した液晶表示装置においては、各ゲートドライ
バＩＣを密着させて配置することができるため、各ゲートドライバＩＣを設けるスペース
を小さくすることができるという利点を有しているが、ゲートスタートパルス供給ライン
を液晶表示パネルの有効表示領域Ｄｅの外側の辺に張り巡らす必要があるので、配線が複
雑となるという問題点が存在している。
【特許文献１】特開２００１−０５６４８１号公報
【特許文献２】特開２００４−０８５８９１号公報
【発明の開示】
【発明が解決しようとする課題】
【０００５】
従来の液晶表示装置においては、行駆動手段に対して少なくともスタートパルスを供給
する制御手段としては同一の制御用ＩＣが使用されていたが、並列接続方式を採用した場
合には、図７のタイミングチャートに示したように、制御手段がデータイネーブル信号Ｄ
Ｅの入力と同時にスタートパルスＦＬＭを生成していたため、ゲートドライバＩＣにスタ
ートパルスＦＬＭが供給されてから数クロックパルス（約４パルス）分だけ遅延して、ゲ
ートドライバＩＣから出力が生じる（後述する様に、並列接続方式のゲートドライバの構
成上の理由による）。その結果、遅延したクロックパルスに相当する行分の画像データが
表示できないという問題点があった。
【０００６】
本発明はこのような従来技術の問題点に鑑みてなされたものであって、その第１の目的
は、行制御手段である複数のゲートドライバＩＣのスタートパルス供給ラインの接続方式
が並列接続方式の場合に、数行分の画像データを表示できないという問題点を解決した制
御手段を備えた液晶表示装置を提供することにある。また、本発明の第２の目的は、行制
御手段である複数のゲートドライバＩＣのスタートパルス供給ラインがカスケード接続方
式の場合であっても並列接続方式の場合であっても、一つの制御手段内で切換えて正常に
表示できるようにした液晶表示装置を提供することにある。
【課題を解決するための手段】
【０００７】
本発明の上記第１の目的は以下の構成により達成し得る。すなわち、請求項１に係る液
晶表示装置の発明は、液晶表示パネルの各走査電極を駆動する複数の行駆動手段と、前記
行駆動手段に少なくともスタートパルスＦＬＭを供給する制御手段を備えた液晶表示装置
において、前記複数の行駆動手段のスタートパルス入力端子は並列接続されており、前記
制御手段は各走査期間の最初からのデータイネーブル信号ＤＥのカウント値が１走査期間
の有効データ数及び無効データ数の和ｎから予め定めた所定のカウント値ｘだけ少ないカ
ウント値ｎ−ｘに達した時点にスタートパルスＦＬＭを発生する。
【０００８】
また、本発明の上記第２の目的は以下の構成により達成し得る。すなわち、請求項２に
係る液晶表示装置の発明は、液晶表示パネルの各走査電極を駆動する複数の行駆動手段と
前記行駆動手段に少なくともスタートパルスＦＬＭを供給する制御手段を備えた液晶表示
装置において、前記制御手段は、全ての行駆動手段のスタートパルス供給ラインを直列接
続したカスケード接続方式及び、全ての行駆動手段のスタートパルス入力端子を並列接続
した並列接続方式のそれぞれに対応したスタートパルス出力手段を備え、前記並列接続方
式に対応した前記スタートパルス出力手段は、各走査期間の最初からのデータイネーブル
信号ＤＥのカウント値が１走査期間の有効データ数及び無効データ数の和ｎから予め定め
た所定のカウント値ｘだけ少ないカウント値ｎ−ｘに達した時点にスタートパルスＦＬＭ
を発生するものであり、前記制御手段に入力されたセレクト信号により前記カスケード接
続方式及び並列接続方式のいずれかのスタートパルスＦＬＭを選択して発生する。
【０００９】
また、請求項３に係る発明は、請求項２に記載の液晶表示装置において、前記カスケー
ド接続方式が選択された場合には、前記制御手段は、各走査期間の最初のデータイネーブ
ル信号ＤＥが立ち上がった時点にスタートパルスＦＬＭを発生するように制御する。
【発明の効果】
【００１０】
本発明は上記の構成を備えることにより以下のような優れた効果を奏する。すなわち、
請求項１の発明によれば、複数の行駆動手段のスタートパルス入力端子が並列接続されて
いる場合に、制御手段において行駆動手段に供給するスタートパルスＦＬＭの生成のタイ
ミングを各走査期間毎にデータイネーブル信号ＤＥが入力される時点より所定クロックパ
ルス前となるようにしたので、データイネーブル信号ＤＥと行駆動手段の出力との間にタ
イミングのずれがなくなるので、正常な画像表示ができる液晶表示装置が得られる。
【００１１】
また、請求項２の発明によれば、請求項１の発明と同様に、複数の行駆動手段のスター
トパルス入力端子が並列接続されている場合でも正常な画像表示ができる。しかも、一つ
の制御手段により、複数の行駆動手段のスタートパルス供給ラインがカスケード接続方式
で接続されている場合であっても並列接続方式で接続されている場合であっても切り換え
て作動させることができる。故に、液晶表示パネルの行駆動手段の接続方式の相違に対応
できるように、２種類の制御手段を用意する必要がなくなる。
【００１２】
また、請求項３の発明によれば、簡単な構成により複数の行駆動手段がカスケード接続
方方式で接続されている場合であっても正常に画像表示させることができる液晶表示装置
が得られる。
【発明を実施するための最良の形態】
【００１３】
以下、本発明を実施するための最良の形態を実施例及び図１〜図４を用いて詳細に説明
するが、以下に述べた実施例は、本発明の技術思想を具体化するための液晶表示装置の一
例を例示するものであって、本発明をこの実施例に特定することを意図するものではなく
本発明は特許請求の範囲に示した技術思想を逸脱することなく種々の変更を行ったものに
も均しく適用し得るものである。なお、図１は、本発明の液晶表示装置の概略構成を示す
ブロック図であり、図１（ａ）は並列接続方式の場合、図１（ｂ）はカスケード接続方式
の場合を示す。また、図２は図１（ａ）の制御用ＩＣの概略構成を示すブロック図である
。さらに、図３は図１（ａ）の並列接続方式の場合の動作を説明するタイミングチャート
であり、図４は図１（ｂ）のカスケード接続方式の場合の動作を説明するタイミングチャ
ートである。
【実施例】
【００１４】
図１において、本実施例の液晶表示装置１０は、液晶表示パネル１１、制御手段すなわ
ち制御用ＩＣ３０、行駆動手段である複数個（たとえば２個）のゲートドライバＩＣ１２
ａ１〜１２ａ２及び複数個（たとえば５個）のソースドライバＩＣ１２ｂ１〜１２ｂ５を
備えている。制御用ＩＣ３０は、図示しない入力インタフェースを介して、コンピュータ
、テレビジョン装置、ビデオ再生装置、ＤＶＤ（Digital Versatile Disk）再生装置等か
ら送られてきたデータイネーブル信号ＤＥ、たとえばＲＧＢ各８ビットのデジタル画素デ
ータＩＲＤ、ＩＧＤ、ＩＢＤ、クロック信号ＤＯＴＣＬＫ、垂直同期信号ＶＳＹＮＣ、水
平同期信号ＨＳＹＮＣ等を取り込んでデジタル的に信号処理し、デジタルＲＧＢ出力信号
ＯＲＤ、ＯＧＤ、ＯＢＤ、水平クロック信号Ｘ＿ＣＬＫ、ストローブ信号ＳＴＲＢ、極性
反転信号ＰＯＬ及びソーススタートパルス信号ＥＩＳをそれぞれソースドライバＩＣ１２
ｂ１〜１２ｂ５へ供給しスタートパルスＦＬＭ、垂直クロック信号ＣＰＶ、ゲートイネー
ブル信号ＯＥをゲートドライバＩＣ１２ａ１〜１２ａ２へ供給する。
【００１５】
ここで、この制御用ＩＣ３０の一具体例を図２を用いて説明する。制御用ＩＣ３０は、
セレクト信号ＳＥＬＥＣＴ入力端子３１、垂直同期信号ＶＳＹＮＣ入力端子３２、水平同
期信号ＨＳＹＮＣ入力端子３３、データイネーブル信号ＤＥ入力端子３４、デジタル画素
データＩＲＤ、ＩＧＤ、ＩＢＤの入力端子３５、クロック信号ＤＯＴＣＬＫ入力端子３６
、スタートパルスＦＬＭ出力端子３７、垂直クロック信号ＣＰＶ出力端子３８、ゲートイ
ネーブル信号ＯＥ出力端子３９、ストローブ信号ＳＴＲＢ出力端子４０、極性反転信号Ｐ
ＯＬ出力端子４１、ソーススタートパルス信号ＥＩＳ出力端子４２、デジタルＲＧＢ出力
信号ＯＲＤ、ＯＧＤ、ＯＢＤ出力端子４３及び水平クロック信号Ｘ＿ＣＬＫ出力端子４４
を備えている。
【００１６】
そして、制御用ＩＣ３０の内部には、大きく分けて前処理部４５、データイネーブル信
号ＤＥカウンタ４６、水平同期信号ＨＳＹＮＣカウンタ４７、クロック信号ＤＯＴＣＬＫ
カウンタ４８を備えており、このうち、前処理部４５からの出力信号、ＤＥカウンタ４６
の出力信号、ＨＳＹＮＣカウンタ４７の出力信号及びＤＯＴＣＬＫカウンタ４８の出力信
号から、スタートパルス出力手段（ＦＬＭ生成回路４９）において、スタートパルスＦＬ
Ｍ信号が作成され、セレクト信号ＳＥＬＥＣＴ及びＤＯＴＣＬＫカウンタ４８の出力信号
からＣＰＶ生成回路５０において垂直クロック信号ＣＰＶが生成される。
【００１７】
また、ＤＯＴＣＬＫカウンタ４８の出力信号により、ＯＥ生成回路５１によりゲートイ
ネーブル信号ＯＥが、ＳＴＲＢ生成回路５２によりストローブ信号ＳＴＲＢが生成されＰ
ＯＬ生成回路５３により極性反転信号ＰＯＬが生成され、ＥＩＳ生成回路５４によりソー
ススタートパルス信号ＥＩＳが生成されるようになっている。さらに、デジタル画素デー
タＩＲＤ、ＩＧＤ、ＩＢＤは、データシフト回路５５において処理されてデジタルＲＧＢ
出力信号ＯＲＤ、ＯＧＤ、ＯＢＤとして出力される。これらの前処理部４５、ＤＥカウン
タ４６、ＨＳＹＮＣカウンタ４７、ＤＯＴＣＬＫカウンタ４８、ＯＥ生成回路５１、ＳＴ
ＲＢ生成回路５２、ＰＯＬ生成回路５３、ＥＩＳ生成回路５４、データシフト回路５５等
の構成は、従来の制御用ＩＣにおける構成と実質的に相違はなく、動作原理も同様である
のでその詳細な説明は省略する。
【００１８】
本実施例においては、セレクト信号ＳＥＬＥＣＴの「Ｈ」入力ないしは「Ｌ」入力によ
り、行駆動手段である複数（たとえば２個）のゲートドライバＩＣ１２ａ１〜１２ａ２の
スタートパルスＦＬＭ供給ラインがカスケード接続方式であるか並列接続方式であるかに
対応して、カスケード接続モードと並列接続モードが選択されるようになっている。
【００１９】
以下において、本実施例の液晶表示装置１０の動作を図３及び図４に示したタイミング
チャートを用いて説明する。まず、ＰＣ等の画像信号発生装置からの画像データは、制御
用ＩＣ３０により処理され、図３及び図４のタイミングチャートに示したように、データ
イネーブル信号ＤＥに同期して一走査期間内に所定の一連の画像データ信号１〜ｎが、各
ソースドライバＩＣ１２ｂ１〜１２ｂ５に同時に並列に供給されている。なお、この画像
データ信号のうち１〜ｍまでは有効データ期間の画像データ信号を示し、ｍ＋１〜ｎまで
は無効データ期間、いわゆる帰線期間に対応する画像データ信号を表し、この画像データ
信号１〜ｎのそれぞれにはデジタルＲＧＢ出力信号ＯＲＤ、ＯＧＤ、ＯＢＤが含まれてい
る。
【００２０】
そして、この画像データ信号１〜ｎのうち有効データ期間の画像データ信号１〜ｍのそ
れぞれは、少なくとも液晶表示パネル１１のソース信号線の本数に対応する数のパルス列
からなり、別途列駆動手段１２ｂであるソースドライバＩＣ１２ｂ１〜１２ｂ５により制
御されて液晶表示パネル１１の各ソース信号線に供給されるようになっている。
【００２１】
一方、行駆動手段１２ａとして並列接続方式を採用する場合、図３に示したように、各
ゲートドライバＩＣ１２ａ１〜１２ａ２のそれぞれには、有効データ期間の画像データ１
〜ｍの入力に合わせて、各ゲートドライバＩＣ１２ａ１〜１２ａ２が順次液晶表示パネル
のｍ本の走査電極Ｇ１〜Ｇｍをアクティブにするための出力を送出できるようなタイミン
グに合わせて、前記制御用ＩＣ３０からスタートパルス（フレームパルス）ＦＬＭが供給
されている。この様に、複数の行駆動手段１２ａ１〜１２ａ２は各々、液晶表示パネル１
１の走査電極Ｇ１〜Ｇｍを駆動する。
【００２２】
この場合、各ゲートドライバＩＣ１２ａ１〜１２ａ２のＦＬＭ入力端子は並列接続され
ているため、１段目のゲートドライバＩＣ１２ａ１がスタートパルスＦＬＭを受けて出力
を開始した場合、２段目のゲートドライバＩＣ１２ａ２は、先と同じスタートパルスＦＬ
Ｍを受けた後、１段目のゲートドライバＩＣ１２ａ１が出力し終える間、自分でカウント
して出力を待ち、その後に出力を開始する。
【００２３】
従って、スタートパルスＦＬＭを受けてから各ゲートドライバＩＣ１２ａ１〜１２ａ２
の出力が液晶表示パネル１１の各走査電極Ｇ１〜Ｇｍに順番に供給されるためには、各ゲ
ートドライバＩＣ１２ａ１及び１２ａ２における遅延時間を考慮する必要があるため、第
１段目のゲートドライバＩＣ１２ａ１の最初の出力はスタートパルスＦＬＭを受けてから
前記遅延時間分だけ、たとえば４パルス分、遅延させる必要がある。
【００２４】
そのため、前記制御用ＩＣ３０は、内部にデータイネーブル信号ＤＥの数をカウントす
るＤＥカウンタを備えており、最初データイネーブル信号ＤＥが入力されてからカウント
を開始し、そのカウント値が最大画像データ数ｎから遅延時間分に対応するカウント値ｘ
だけ少ないカウント値ｎ−ｘ、たとえばｘ＝３の場合はｎ−３に達した時点に、スタート
パルスＦＬＭを発生し、４クロック経過後の次の垂直クロック信号ＣＰＶの立ち上がりに
同期して順次、各ゲートドライバＩＣ１２ａ１〜１２ａ２から出力を発生させ、液晶表示
パネル１１の走査電極Ｇ１〜Ｇｍを順番にアクティブにする。なお、この遅延時間分に対
応するカウント値ｘは、使用するゲートドライバＩＣ１２ａ１〜１２ａ２の特性や制御用
ＩＣ３０の特性等によって変わるが、通常は一定の数値が採用されている。
【００２５】
そして、液晶表示パネル１１の走査電極Ｇ１〜Ｇｍのうちの一つがアクティブにされて
いる間に、各画像データ信号１〜ｍのうちの１つが選択的にソースドライバＩＣ１２ｂ１
〜１２ｂ５により処理され、液晶表示パネルの全てのソースラインに対して順次供給され
この操作を各画像データ信号１〜ｍの全てに対して繰り返すことにより液晶表示パネル１
１において１フレームに対応する画像表示が行われる。
【００２６】
このような並列接続用のゲートドライバＩＣ１２ａ１〜１２ａ２を設けた液晶表示装置
１０は、各ゲートドライバＩＣ１２ａ１〜１２ａ２の間隔を密着することができるため、
各ゲートドライバＩＣ１２ａ１〜１２ａ２を設けるスペースを小さくすることができると
いう利点を有している。
【００２７】
他方、行駆動手段１２を構成するゲートドライバＩＣ１２ａ１〜１２ａ２のスタートパ
ルスＦＬＭラインを直列接続したカスケード接続方式を採用した場合には、図４に示すよ
うに、スタートパルスＦＬＭは最初のデータイネーブル信号ＤＥの立ち上がりに同期して
最初のゲートドライバＩＣ１２ａ１に供給される。このスタートパルスＦＬＭは、順次垂
直クロック信号ＣＰＶの立ち上がりに同期してシフトされて行き、ゲートドライバＩＣ１
２ａ１は液晶表示パネル１１の走査電極Ｇ１・・・を順番にアクティブにして行く。その
際最初のゲートドライバＩＣ１２ａ１から最後の出力が発生されるとその信号が次のゲー
トドライバＩＣ１２ａ２のスタートパルスＦＬＭとして使用される。このようにして、最
初のゲートドライバＩＣ１２ａ１に供給されたスタートパルスＦＬＭに基づいて、順次各
ゲートドライバＩＣ１２ａ１〜１２ａ２から出力を発生させ、液晶表示パネル１１の走査
電極Ｇ１〜Ｇｍが順番にアクティブにされる。
【００２８】
そして、液晶表示パネル１１の走査電極Ｇ１〜Ｇｍのうちの一つがアクティブにされて
いる間に、各画像データ信号１〜ｍのうちの１つが選択的にソースドライバＩＣ１２ｂ１
〜１２ｂ５により処理されて液晶表示パネルの全てのソースラインに対して順次供給され
この操作を各画像データ信号１〜ｍの全てに対して繰り返すことにより液晶表示パネル１
１において１フレームに対応する画像表示が行われる。
【００２９】
そして、制御用ＩＣ３０のセレクト信号端子３１へのＳＥＬＥＣＴ信号により、ゲート
ドライバＩＣの並列駆動モードが選択された場合においては、ＤＥカウンタの出力が最大
画像データ数ｎから予め定めた所定の遅延時間分少ないカウント値ｘ、たとえばｘ＝３の
場合にはｎ−３に達したときに垂直クロック信号ＣＰＶの立ち上がりに同期して立ち上が
るようにスタートパルスＦＬＭを発生し、また、ゲートドライバＩＣのカスケード駆動モ
ードが選択された場合には、スタートパルスＦＬＭは最初のデータイネーブル信号ＤＥの
立ち上がりに同期して発生するようになっている。なお、本実施例においては、ゲートド
ライバＩＣの並列駆動モードの場合とカスケード駆動モードの場合とではスタートパルス
ＦＬＭ及び垂直クロック信号ＣＰＶはそれぞれ位相が反転した状態となるようにされてい
る。
【００３０】
この場合の並列駆動モード用のＦＬＭ生成回路及びカスケード駆動モード用のＦＬＭ生
成回路としては、前処理部４５からの出力信号、ＤＥカウンタ４６の出力信号、ＨＳＹＮ
Ｃカウンタ４７の出力信号及びＤＯＴＣＬＫカウンタ４８の出力信号を基に、セレクト信
号ＳＥＬＥＣＴによってＦＬＭ生成回路４９にタイミングを切り換えることにより簡単に
兼用することができるようになる。
【００３１】
このような構成の制御用ＩＣ３０を使用することで、ゲートドライバＩＣの動作モード
を並列駆動モードとカスケード駆動モードとの間で切り換えることができる。その結果、
並列駆動モードの場合であっても正常に画像表示ができるだけでなく、ゲートドライバＩ
Ｃの動作モードの相違に対応できるように、２種類の駆動用ＩＣを用意する必要がなく、
安価で経済的な液晶表示装置が得られるようになる。
【図面の簡単な説明】
【００３２】
【図１】本発明の液晶表示装置の概略構成を示すブロック図であり、図１（ａ）は並列接続方式の場合、図１（ｂ）はカスケード接続方式の場合を示す図である。
【図２】図１（ａ）の制御用ＩＣの概略構成を示すブロック図である。
【図３】図１（ａ）の並列接続方式の場合のゲートドライバＩＣの動作を説明するタイミングチャートである。
【図４】図１（ｂ）のカスケード接続方式の場合のゲートドライバＩＣの動作を説明するタイミングチャートである。
【図５】従来の液晶表示パネルの平面図である。
【図６】図６（ａ）はカスケード接続方式の接続関係を示す概念図であり、図６（ｂ）は並列接続方式の接続関係を示す概念図である。
【図７】図６（ｂ）の従来の並列接続方式の場合のゲートドライバＩＣの動作を説明するためのタイミングチャートである。
【符号の説明】
【００３３】
１０  液晶表示装置
１１  液晶表示パネル
１２ａ１〜１２ａ２  行駆動手段
１２ｂ１〜１２ｂ５  ソースドライバＩＣ
３０  制御手段
４５  前処理部
４６  ＤＥカウンタ
４７  ＨＳＹＮＣカウンタ
４８  ＤＯＴＣＬＫカウンタ
４９  スタートパルス出力手段
５０  ＣＰＶ生成回路
５１  ＯＥ生成回路
５２  ＳＴＲＢ生成回路
５３  ＰＯＬ生成回路
５４  ＥＩＳ生成回路
５５  データシフト回路
ＦＬＭ  スタートパルス
ＣＰＶ  垂直クロックパルス
ＤＥ  データイネーブル信号
【図１】
2006184654.tif 000003
【図２】
2006184654.tif 000004
【図３】
2006184654.tif 000005
【図４】
2006184654.tif 000006
【図５】
2006184654.tif 000007
【図６】
2006184654.tif 000008
【図７】
2006184654.tif 000009